(57)【要約】【課題】  携帯電話機の形態の変更およびキー操作を行うことなく、撮影により作成した画像データを送信する処理を実現できる携帯電話機を提供する。【解決手段】  携帯電話機１０の入力部１１３は、二つの筐体が重ねられた状態で表示部１１４に覆われる構成となっている。また、携帯電話機１０は、制御定義用メモリ１０４と加速度センサ１１１とを備える。制御定義用メモリ１０４は、加速度センサ１１１が予め定められた規定値以上の加速度を検知した場合に実行すべき処理を定めた情報である動作設定情報や規定値を記憶する。携帯電話機１０は、規定値以上の加速度を検知すると、動作設定情報を参照して画像データを送信する。【選択図】  図１
2006180378.tif 000002
【特許請求の範囲】
【請求項１】
情報を入力する入力手段を有する第１の筐体と、前記第１の筐体に接続される第２の筐体とを備え、前記第１の筐体と前記第２の筐体とを重ね合わせ可能な携帯電話機であって、
加速度を検出する加速度検出手段と、
被写体を撮影して画像データを生成する撮影手段と、
前記画像データを送信する送信手段と、
予め定められた加速度の規定値を記憶する規定値記憶手段と、
前記規定値と前記加速度検出手段が検出した加速度とを比較し、比較結果に基づいて前記送信手段に前記画像データを送信させる送信制御手段とを備えた
ことを特徴とする携帯電話機。
【請求項２】
送信手段は、
一の通信経路により画像データを送信する第１送信手段と、
前記一の通信経路とは異なる通信経路により画像データを送信する第２送信手段とを有し、
加速度の規定値と加速度検出手段が検出した加速度との比較結果に基づいて前記第１送信手段によって画像データを送信するか、前記第２送信手段によって画像データを送信するのか、あるいは前記比較結果によらず画像データを送信しないのかを定めた動作設定情報を記憶する設定記憶手段を備え、
送信制御手段は、前記動作設定情報に基づいて、前記第１送信手段に画像データを送信させるか、前記第２送信手段に画像データを送信させるか、あるいは、画像データを送信させないのかを決定する
請求項１に記載の携帯電話機。
【請求項３】
画像を送信できない旨の警告を出力する警告出力手段を備え、
規定値記憶手段は、第１の規定値と、当該第１の規定値よりも大きい第２の規定値とを記憶し、
送信制御手段は、加速度検出手段が検出した加速度が少なくとも前記第２の規定値よりも大きい範囲に存在する場合に、送信手段に画像データを送信させ、加速度検出手段が検出した加速度が少なくとも前記第１の規定値よりも大きく前記第２の規定値よりも小さい範囲に存在する場合に、前記警告出力手段に警告を出力させる
請求項１または請求項２に記載の携帯電話機。
【請求項４】
送信手段は、
一の通信経路により画像データを送信する第１送信手段と、
前記一の通信経路とは異なる他の通信経路により画像データを送信する第２送信手段とを有し、
規定値記憶手段は、第１の規定値と、当該第１の規定値よりも大きい第２の規定値とを記憶し、
加速度検出手段が検出した加速度が少なくとも前記第２の規定値よりも大きい範囲に存在する場合に、前記第１送信手段と前記第２送信手段のいずれか一方により画像データを送信し、加速度検出手段が検出した加速度が少なくとも前記第１の規定値よりも大きく前記第２の規定値よりも小さい範囲に存在する場合に他方により画像データを送信する旨を定めた設定情報を記憶する設定記憶手段を備え、
送信制御手段は、前記第１の規定値および前記第２の規定値と前記加速度検出手段が検出した加速度との比較結果と、前記設定情報とに基づいて、前記第１送信手段または前記第２送信手段に画像データを送信させる
請求項１に記載の携帯電話機。
【請求項５】
第１送信手段は、赤外線通信により画像データを送信する
請求項２または請求項４に記載の携帯電話機。
【請求項６】
第２送信手段は、画像データを添付した電子メールを送信する
請求項２、４、５のうちのいずれか１項に記載の携帯電話機。
【発明の詳細な説明】
【技術分野】
【０００１】
本発明は、携帯電話機に関し、特に撮影した画像等のデータを送信することができる携帯電話機に関する。
【背景技術】
【０００２】
近年のカメラ付き携帯電話機の普及に伴い、カメラ付き携帯電話機のカメラで画像や動画を撮影し、電子メールや赤外線通信を利用して撮影した画像データや動画データを送信することができる。
【０００３】
カメラ付き携帯電話機の形態には様々なものがあるが、ヒンジ部が１８０度回転するものや二軸ヒンジを用いたリバーシブルタイプのものは、共通してキー入力部分がディスプレイ部分に覆われる構造になっている。
【０００４】
そのため、撮影した画像や動画などのデータを電子メールや赤外線通信を利用して送信するためには、カメラ付き携帯電話機の形態を逐次変更しキー操作をする必要がある。
【０００５】
また、携帯端末装置に情報を入力するには、複数のキー等の入力装置を使用している。携帯端末装置は、より小型のものが好まれる傾向にある。しかし、携帯端末装置本体の小型化に伴って、入力装置も小型化したり、キーの数が少なくなることになり、十分な操作性を確保することが難しいという問題がある。
【０００６】
そのため、携帯端末装置に搭載した加速度センサが、装置の振動等の加速度を検出し、電子メール送信処理を行う携帯端末装置が提案されている（例えば、特許文献１参照）。特許文献１に記載された携帯端末装置では、電子メールの本文および電子メールの送信先がまず入力される。その後、ユーザによって振られる等して加速度を検出すると、入力済みの本文を送信先に送信する。
【０００７】
また、撮影した画像を電子メールに添付して送信する携帯電話機が、例えば、特許文献２に記載されている。特許文献２に記載された携帯電話機では、携帯電話機が制御用電子メールを受信した後に画像を撮影すると、制御用電子メールに従って、画像データを電子メールに添付して送信する。
【０００８】
【特許文献１】特開２００３−１６３７４２号公報（段落００４３−００４９）
【特許文献２】特開２００３−２８１０６４号公報（段落００２２−００２４）
【発明の開示】
【発明が解決しようとする課題】
【０００９】
キー入力部分がディスプレイ部分に覆われる構造になっているカメラ付き携帯電話機を用いて画像データを送信しようとする場合、ユーザは、送信のためのキー操作を行えるようにするために、撮影後に携帯電話機の形態を逐次変更する必要がある。また、ユーザは送信のためのキー操作を行わなければならない。
【００１０】
また、特許文献１に記載された方式では、電子メールの宛先を入力し本文を作成した状態において加速度を検出した場合に電子メールの送信を行う。従って、ユーザは、電子メールを送信するときに、電子メールの宛先や本文をその都度入力する必要がある。
【００１１】
また、特許文献２に記載の携帯電話機は、制御用電子メールに従って画像データを送信する。従って、携帯電話機を携帯しているユーザが、送信先を定められるわけではなかった。
【００１２】
そこで、本発明は、携帯電話機の形態の変更およびキー操作を行うことなく、撮影により作成した画像データを送信する処理を実現できる携帯電話機を提供することを目的とする。
【課題を解決するための手段】
【００１３】
本発明による携帯電話機は、情報を入力する入力手段を有する第１の筐体と、第１の筐体に接続される第２の筐体とを備え、第１の筐体と第２の筐体とを重ね合わせ可能な携帯電話機であって、加速度を検出する加速度検出手段と、被写体を撮影して画像データを生成する撮影手段と、画像データを送信する送信手段と、予め定められた加速度の規定値を記憶する規定値記憶手段と、規定値と加速度検出手段が検出した加速度とを比較し、比較結果に基づいて送信手段に画像データを送信させる送信制御手段とを備えたことを特徴とする。
【００１４】
送信手段は、一の通信経路により画像データを送信する第１送信手段と、一の通信経路とは異なる通信経路により画像データを送信する第２送信手段とを有し、加速度の規定値と加速度検出手段が検出した加速度との比較結果に基づいて第１送信手段によって画像データを送信するか、第２送信手段によって画像データを送信するのか、あるいは比較結果によらず画像データを送信しないのかを定めた動作設定情報を記憶する設定記憶手段を備え、送信制御手段は、動作設定情報に基づいて、第１送信手段に画像データを送信させるか、第２送信手段に画像データを送信させるか、あるいは、画像データを送信させないのかを決定してもよい。
【００１５】
画像を送信できない旨の警告を出力する警告出力手段を備え、規定値記憶手段は、第１の規定値と、第１の規定値よりも大きい第２の規定値とを記憶し、送信制御手段は、加速度検出手段が検出した加速度が少なくとも第２の規定値よりも大きい範囲に存在する場合に、送信手段に画像データを送信させ、加速度検出手段が検出した加速度が少なくとも第１の規定値よりも大きく第２の規定値よりも小さい範囲に存在する場合に、警告出力手段に警告を出力させてもよい。そのような構成によれば、ユーザが携帯電話機に与えた加速度が小さい場合、加速度が小さいために画像を送信できない旨の警告を出力することができる。
【００１６】
送信手段は、一の通信経路により画像データを送信する第１送信手段と、一の通信経路とは異なる他の通信経路により画像データを送信する第２送信手段とを有し、規定値記憶手段は、第１の規定値と、第１の規定値よりも大きい第２の規定値とを記憶し、加速度検出手段が検出した加速度が少なくとも第２の規定値よりも大きい範囲に存在する場合に、第１送信手段と第２送信手段のいずれか一方により画像データを送信し、加速度検出手段が検出した加速度が少なくとも第１の規定値よりも大きく第２の規定値よりも小さい範囲に存在する場合に他方により画像データを送信する旨を定めた設定情報を記憶する設定記憶手段を備え、送信制御手段は、第１の規定値および第２の規定値と加速度検出手段が検出した加速度との比較結果と、設定情報とに基づいて、第１送信手段または第２送信手段に画像データを送信させてもよい。そのような構成によれば、ユーザが携帯電話機に与えた加速度に応じた通信経路で画像データを送信することができる。
【００１７】
第１送信手段は、赤外線通信により画像データを送信してもよい。
【００１８】
第２送信手段は、画像データを添付した電子メールを送信してもよい。
【発明の効果】
【００１９】
本発明によれば、カメラ映像を撮影した場合に、携帯電話機の形態の変更やキー操作を行わずに画像データを送信することができる。
【発明を実施するための最良の形態】
【００２０】
実施の形態１．
以下、本発明の第１の実施の形態を図面を参照して説明する。図１は、本発明の第１の実施の形態による携帯電話機の構成例を示すブロック図である。
【００２１】
図１に示す携帯電話機１０は、携帯電話機１０の各種制御を行う制御部１００と、加速度（例えば直行する３軸方向の加速度）を測定する加速度センサ１１１と、被写体を撮像する撮影部１１２と、情報を入力する入力部１１３と、情報を表示する表示部１１４と、マイクロフォン１１５と、スピーカ１１６と、着信スピーカ１１７と、バイブレータ１１８と、赤外線送受信部１１９と、無線部１２０と、アンテナ１２１とを備える。
【００２２】
制御部１００は、携帯電話機１０の各部を制御するＣＰＵ１０１と、ＣＰＵ１０１が実行する各種の制御プログラムやかな文字変換等に使用される辞書等の固定的なデータを記憶するＲＯＭ（Ｒｅａｄ  Ｏｎｌｙ  Ｍｅｍｏｒｙ）１０２と、ＣＰＵ１０１がプログラムを実行する上で一時的に必要とされるデータなどの各種データを記憶する作業用メモリ１０３と、各種の設定情報を記憶する制御定義用メモリ１０４とを備える。
【００２３】
ＲＯＭ１０２には、携帯電話機１０の各種設定を行うための設定アプリケーションや、メールの送受信を実行するメーラーアプリケーションなどが予め記憶されている。作業用メモリ１０３は、例えばＲＡＭ（Ｒａｎｄｏｍ  Ａｃｃｅｓｓ  Ｍｅｍｏｒｙ）によって実現される。
【００２４】
制御定義用メモリ１０４は、例えば不揮発性メモリによって実現される。制御定義用メモリ１０４は、例えば、加速度センサ１１１がある規定値以上の加速度を検知した場合に実行すべき処理に関する情報である動作設定情報や規定値を記憶する。制御定義用メモリ１０４は、動作設定情報や規定値を携帯電話機１０の工場出荷時等に予め記憶している。また、使用者は設定アプリケーションを起動して入力部１１３を操作することにより、動作設定情報や規定値を制御定義用メモリ１０４に記憶させることができる。
【００２５】
加速度センサ１１１は、携帯電話機１０の３次元空間上における加速度を測定するものであり、３次元加速度センサによって実現される。なお、加速度センサ１１１は、２次元以下の空間の加速度を測定するものでもよく、例えば、複数の１次元の加速度センサを、それぞれが垂直方向の加速度を測定するように設置したものでもよい。本実施例では、携帯電話機１０を直接振ったり、あるいは携帯電話機１０を収容した鞄等を振ったときの加速度を検出する場合について説明する。
【００２６】
撮影部１１２は、ＣＣＤ等の撮像素子を含み、被写体を撮像してディジタルデータに変換する処理などの各種の処理を実行する。入力部１１３は、情報を入力するための複数のキー（以下、キー操作部と記す。）を有し、キー操作部から入力された情報をＣＰＵ１０１に出力する。
【００２７】
表示部１１４は、例えば液晶表示装置や有機ＥＬ（Ｅｌｅｃｔｒｏｌｕｍｉｎｅｓｃｅｎｃｅ）ディスプレイ装置等のディスプレイ装置によって実現され、情報を表示する。
【００２８】
マイクロフォン１１５は、通話を行うための音声入力装置であり、スピーカ１１６は、通話を行うための受話音声出力装置である。着信スピーカ１１７は、電話がかかってきたことやメールが着信したことなどを通知するための着信音を出力する。バイブレータ１１８は、着信音の鳴動の代わりに振動して電話がかかってきたことなどを通知するための振動発生装置である。
【００２９】
赤外線送受信部１１９は、赤外線通信機能が搭載された機器との通信を行う。赤外線送受信部１１９は、例えば、赤外線通信機能が搭載された携帯電話機やパーソナルコンピュータと、画像データやメールアドレスを送受信する。
【００３０】
無線部１２０は、アンテナ１２１を介して移動通信網の基地局と無線通信を行う。携帯電話機１０は、他の携帯電話機や固定電話機等の通信機器と、移動通信網を介して電話やデータ通信を行うことができる。
【００３１】
携帯電話機１０は、例えば、入力部１１３を有する下部筐体に固定されるヒンジ部が回転する形態をとる。重なりあった状態、つまり閉じた状態にある上部筐体と下部筐体とを、時計回りもしくは反時計回りに１８０度回転させることにより、開いた状態に変形することができる。
【００３２】
また、例えば、携帯電話機１０は、下部筐体に固定されるヒンジ部が、上部筐体と下部筐体とを開閉かつ回転自在に結合する形態の折りたたみ式携帯電話機であってもよい。
【００３３】
いずれの場合にも、上部筐体と下部筐体とが重なり合って閉じた状態になっているときには、入力部１１３は上部筐体によって覆われ、入力部１１３に対する操作ができない状態となる。
【００３４】
図２は、本発明によるソフトウェアの構成例を示すブロック図であり、ソフトウェア間における入出力を示す。
【００３５】
なお、ソフトウェアに従って実際に動作するのは、ＣＰＵ１０１であるが、図２の説明では、ソフトウェアの動作として説明する。アプリケーションサービス（ソフトウェア）７１は、アプリケーションインタフェース（アプリケーションサービス７１とデバイスドライバ７３とのインタフェース）７２およびデバイスドライバ７３を介して、加速度センサ１１１から検出した加速度の情報を得たり、不揮発メモリ１０４（図１に示す制御定義用メモリ１０４に相当。）に対する書き込みや読み込みを行う。また、アプリケーションサービス７１は、アプリケーションインタフェース７２およびデバイスドライバ７３を介して、プロトコルであるＯＢＥＸに従い、赤外線ユニット１１９（図１に示す赤外線送受信部１１９に相当。）を制御する。
【００３６】
また、アプリケーションサービス７１は、不揮発メモリ１０４に対して動作設定情報を記憶させる場合には、設定アプリケーション７４とともに処理を行う。アプリケーションサービス７１は、撮影部１１２により撮影を行う場合には、カメラアプリケーション７５とともに処理を行う。アプリケーションサービス７１は、赤外線ユニット１１９により画像データを送信する場合には、赤外線アプリケーション７６とともに処理を行う。アプリケーションサービス７１は、電子メールにより画像データを送信する場合には、メーラーアプリケーション７７とともに処理を行う。メーラーアプリケーション７７は、メールプロトコルに従って、呼制御カーネル７８、エアーシーケンスユニット７９とともに、無線ユニット１２０（図１に示す無線部１２０に相当。）を制御してメールを送信する。
【００３７】
本実施の形態において、第１の筐体は、下部筐体によって実現される。第２の筐体は、上部筐体によって実現される。入力手段は、入力部１１３によって実現される。加速度検出手段は、加速度センサ１１１によって実現される。送信手段は、赤外線通信部１１９、無線部１２０およびアンテナ１２１によって実現される。規定値記憶手段は、制御定義用メモリ１０４によって実現される。通信制御手段は、ＣＰＵ１０１によって実現される。
【００３８】
次に、図３および図４を参照して本実施の形態の動作について説明する。図３は、携帯電話機１０がカメラ映像撮影後に加速度を検知した場合の動作設定を行う処理を示すフローチャートである。
【００３９】
ＲＯＭ１０２に記憶された設定アプリケーションがユーザによって起動されると、ＣＰＵ１０１は、加速度検知時動作設定画面を表示部１１４に表示する。加速度検知時動作設定画面は、加速度センサ１１１が加速度を検知したときにおける携帯電話機１０の動作をユーザに選択させる画面である。本実施の形態では、加速度センサ１１１が加速度を検知したときにおける携帯電話機１０の動作として、「赤外線（赤外線通信により画像データを送信する。）」、メール（電子メールに画像データを添付して送信する。）」、および「オフ（画像データを送信しない。）」があるものとする。ＣＰＵ１０１は、加速度検知時動作設定画面を表示することにより、「赤外線」、「メール」、および「オフ」のうちのいずれか１つの選択をユーザに促す（ステップＳ３０１）。そして、ＣＰＵ１０１は、入力部１１３から、ユーザが選択した動作を入力される（ステップＳ３０２）。
【００４０】
ステップＳ３０２において、「オフ」が選択された場合、ＣＰＵ１０１は、加速度検知時の動作として「オフ」を制御定義用メモリ１０４に記憶させることにより、加速度検知時の動作を「オフ」に設定する（ステップＳ３０３）。
【００４１】
また、ステップＳ３０２において、「赤外線」が選択された場合、ＣＰＵ１０１は、加速度検知時の動作として「赤外線」を制御定義用メモリ１０４に記憶させることにより、加速度検知時の動作を「赤外線」に設定する（ステップＳ３０４）。
【００４２】
ステップＳ３０２において、「メール」が選択された場合、ＣＰＵ１０１は、加速度検知時の動作として「メール」を制御定義用メモリ１０４に記憶させることにより、加速度検知時の動作を「メール」に設定する（ステップＳ３０５）。
【００４３】
次に、ＣＰＵ１０１は、メール設定画面を表示部１１４に表示する。メール設定画面は、メール送信先のメールアドレス、メールの表題およびメール本文の内容であるデフォルトコメントをユーザに設定させる画面である。ＣＰＵ１０１は、メール設定画面を表示することにより、送信先のメールアドレスの設定を促す。そして、ＣＰＵ１０１は、入力部１１３から、ユーザが入力したメールアドレスを入力され、そのメールアドレスを制御定義用メモリ１０４に記憶させる（ステップＳ３０６）。
【００４４】
また、ＣＰＵ１０１は、入力部１１３から、ユーザが入力したメールの表題を入力され、その表題を制御定義用メモリ１０４に記憶させる（ステップＳ３０７）。
【００４５】
また、ＣＰＵ１０１は、入力部１１３から、ユーザが入力したデフォルトコメントを入力され、そのデフォルトコメントを制御定義用メモリ１０４に記憶させる（ステップＳ３０８）。
【００４６】
なお、メールの表題の設定およびデフォルトコメントの設定は任意であり、省略してもよい。
【００４７】
図４は、携帯電話機１０がカメラ映像撮影後に加速度を検知した場合に画像を送信する動作を示すフローチャートである。
【００４８】
使用者の操作により、携帯電話機１０の撮影部１１２がカメラ映像を撮影する（ステップＳ４０１）。撮影後、予め定められた時間内に、使用者が携帯電話機１０を振ると、加速度センサ１１１が加速度を検知し、加速度を測定する。加速度センサ１１１が、制御定義用メモリ１０４に記憶された規定値以上の加速度を検知すると、ＣＰＵ１０１は加速度が検知されたと判断して以降の処理を実行する（ステップＳ４０２）。
【００４９】
ＣＰＵ１０１は、規定値以上の加速度が検知されると、制御定義用メモリ１０４に記憶された動作設定情報を参照し、画像を送信する通信路を判定する（ステップＳ４０３）。ステップＳ４０３における判定結果が「オフ」の場合は、何も処理を実行しない（ステップＳ４０４）。
【００５０】
ステップＳ４０３における判定結果が「赤外線」の場合、ＣＰＵ１０１は、撮影部１１２が撮影した画像データを制御定義用メモリ１０４に保存し（ステップＳ４０５）、赤外線送受信部１１９に出力する。赤外線送受信部１１９は、ファイル転送プロトコルであるＯＢＥＸ（ＯＢｊｅｃｔ  ＥＸｃｈａｎｇｅ  Ｐｒｏｔｏｃｏｌ）を利用して、赤外線通信機能が搭載された機器に対して画像データを送信する（ステップＳ４０６）。送信が終了すると、ＣＰＵ１０１は待ち受け状態に遷移する（ステップＳ４１０）。
【００５１】
また、ステップＳ４０３における判定結果が「メール」の場合、ＣＰＵ１０１は、撮影部１１２が撮影した画像データを制御定義用メモリ１０４に保存する（ステップＳ４０７）。ＣＰＵ１０１は、ＲＯＭ１０２が記憶するメーラーアプリケーションを自動起動し、動作設定情報に設定されているメールアドレス、表題およびデフォルトコメントを参照してメールを作成して、制御定義用メモリ１０４に保存した画像データをメールに添付する（ステップＳ４０８）。
【００５２】
ＣＰＵ１０１は、画像データを添付したメールを、無線部１２０およびアンテナ１２１を介して移動通信網の基地局に向けて送信する（ステップＳ４０９）。送信が終了すると、ステップＳ４１０に移行し、ＣＰＵ１０１は待ち受け状態に遷移する。
【００５３】
以上に説明したように、第１の実施の形態によれば、使用者はキー操作を行うことなく画像データの送信が可能になるため、わずらわしいキー操作を簡略化することができる。
【００５４】
実施の形態２．
以下、本発明の第２の実施の形態を図面を参照して説明する。第２の実施の形態では、制御定義用メモリ１０４は、加速度の規定値として２種類の値を記憶する。この２種類の規定値を、それぞれ「第１の規定値」「第２の規定値」と表記することとし、第２の規定値は第１の規定値より大きい値であるものとする。
【００５５】
第２の規定値は、第１の実施の形態における規定値に相当し、第２の規定値以上の加速度が検知された場合に、画像データが送信される。第１の規定値は、測定された加速度が第２の規定値未満であることを警告するための規定値である。加速度の測定値が、第１の規定値以上かつ第２の規定値未満である場合に、警告音が出力される。なお、本発明の第２の実施の形態の構成は、図１に示す第１の実施の形態の構成と同様なため説明を省略する。
【００５６】
次に、動作について説明する。図５は、携帯電話機１０がカメラ映像撮影後に検知した加速度が規定値に足りない場合に警告音を出力する動作を示すフローチャートである。
【００５７】
使用者の操作により、携帯電話機１０の撮影部１１２がカメラ映像を撮影する（ステップＳ５０１）。撮影後、予め定められた時間内に、加速度センサ１１１が加速度を測定する（ステップＳ５０２）。
【００５８】
ＣＰＵ１０１は、加速度の測定値を判定し（ステップＳ５０３）、測定値が第１の規定値以上かつ第２の規定値未満である場合に、着信スピーカ１１７に警告音を出力する処理を実行させる（ステップＳ５０４）。
【００５９】
一方、加速度の測定値が第２の規定値以上である場合は、ＣＰＵ１０１は加速度が検知されたと判断して、第１の実施の形態で説明したステップＳ４０３以降の処理を実行する（ステップＳ５０５）。
【００６０】
第１送信手段は、赤外線送受信部１１９によって実現される。第２送信手段は、無線部１２０およびアンテナ１２１によって実現される。設定記憶手段は、制御定義用メモリ１０４によって実現される。警告出力手段は、着信スピーカ１１７によって実現される。
【００６１】
以上に説明したように、第２の実施の形態によれば、加速度を検知するための既定値を二つ設け、測定値によって異なる処理を実行させることができる。本実施の形態では、第２の既定値以上の加速度を検知した場合は、使用者が確実に携帯電話機１０を振るなどの動作を行ったものと判断し、第１の実施の形態で説明した動作を実行することができる。さらに、第１の既定値以上第２の既定値未満の加速度を検知した場合は、使用者が携帯電話機１０を振るなどの動作を行ったにも関わらず振り方が弱かった場合などを想定して、警告音を発生させることにより、画像データが送信されなかったことを使用者に認識させることができる。
【００６２】
実施の形態３．
以下、本発明の第３の実施の形態を図面を参照して説明する。第３の実施の形態では、第２の実施の形態と同様に、加速度の規定値として２種類の値である「第１の規定値」、「第２の規定値」を記憶する。また、予め第１の規定値および第２の規定値それぞれに対して、加速度検知時の送信先を設定する（図３参照）。なお、本発明の第３の実施の形態の構成は、図１に示す第１の実施の形態の構成と同様なため説明を省略する。
【００６３】
なお、第３の実施の形態では、第１の規定値に対する動作設定情報として「赤外線」が制御定義用メモリ１０４に記憶され、第２の規定値に対する動作設定情報として「メール」が制御定義用メモリ１０４に記憶された場合を例にして説明する。
【００６４】
次に、動作について説明する。図６は、携帯電話機１０がカメラ映像撮影後に検知した加速度の値によって異なる処理を行う動作を示すフローチャートである。
【００６５】
使用者の操作により、携帯電話機１０の撮影部１１２がカメラ映像を撮影する（ステップＳ６０１）。撮影後、予め定められた時間内に、加速度センサ１１１が加速度を測定する（ステップＳ６０２）。
【００６６】
ＣＰＵ１０１は、加速度の測定値を判定し（ステップＳ６０３）、測定値が第１の規定値以上かつ第２の規定値未満である場合は、制御定義用メモリ１０４に記憶された第１の規定値に対する動作設定情報を参照する。第１の規定値に対する動作設定情報として「赤外線」が設定されているので、第１の実施の形態で説明したステップＳ４０５以降の処理を実行する（ステップＳ６０４）。
【００６７】
一方、加速度の測定値が第２の規定値以上である場合は、ＣＰＵ１０１は制御定義用メモリ１０４に記憶された第２の規定値に対する動作設定情報を参照する。第２の規定値に対する動作設定情報として「メール」が設定されているので、第１の実施の形態で説明したステップＳ４０７以降の処理を実行する（ステップＳ６０５）。
【００６８】
以上に説明したように、第３の実施の形態によれば、第２の実施の形態と同様に、加速度を検知するための既定値を二つ設け、測定値によって異なる処理を実行させることができる。例えば、第１の規定値以上第２の既定値未満の加速度を検知した場合は、赤外線通信を利用して画像データを送信することができる。さらに、第２の既定値以上の加速度を検知した場合は、メールを利用して画像データを送信することができる。ここでは、加速度が第１の規定値以上第２の規定値未満のときに赤外線通信で画像データを送信し、第２の規定値以上のときにメールで画像データを送信する場合を示したが、加速度が第１の規定値以上第２の規定値未満の場合の動作および第２の規定値以上の場合の動作は、上記の例に限定されない。
【産業上の利用可能性】
【００６９】
本発明は、カメラで撮影した画像データを送信する機能を有する携帯電話機に適用可能である。
【図面の簡単な説明】
【００７０】
【図１】本発明による携帯電話機の構成例を示すブロック図である。
【図２】本発明によるソフトウェアの構成例を示すブロック図である。
【図３】本発明の第１の実施の形態における携帯電話機１０の動作を示すフローチャートである。
【図４】本発明の第１の実施の形態における携帯電話機１０の動作を示すフローチャートである。
【図５】本発明の第２の実施の形態における携帯電話機１０の動作を示すフローチャートである。
【図６】本発明の第２の実施の形態における携帯電話機１０の動作を示すフローチャートである。
【符号の説明】
【００７１】
１０  携帯電話機
１００  制御部
１０１  ＣＰＵ
１０２  ＲＯＭ
１０３  作業用メモリ
１０４  制御定義用メモリ
１１１  加速度センサ
１１２  撮影部
１１３  入力部
１１４  表示部
１１５  マイクロフォン
１１６  スピーカ
１１７  着信スピーカ
１１８  バイブレータ
１１９  赤外線送受信部
１２０  無線部
１２１  アンテナ
【図１】
2006180378.tif 000003
【図２】
2006180378.tif 000004
【図３】
2006180378.tif 000005
【図４】
2006180378.tif 000006
【図５】
2006180378.tif 000007
【図６】
2006180378.tif 000008